(57)【要約】  本発明は、オゾンを製造するための方法に関し、ここでオゾンの発生のために１つの圧電トランス（１）が使用される。このオゾンの発生のために、圧電トランス（１）の入力領域（２）に入力電圧を印加され、これよりこの圧電トランス（１）の出力領域（３）に高電圧が生成される。さらにこの電トランス（１）は、酸素を含むプロセスガスで包囲され、この際上記の出力領域（３）に生成された高電圧によってこのプロセスガスからオゾンが形成される。本発明のもう１つの態様は、１つの圧電トランス（１８）を備える、プラズマを発生するための装置（１１）に関する。【選択図】  図２
2019510722.tif 000002
【特許請求の範囲】
【請求項１】
オゾンを生成するための方法であって、
前記オゾンを発生するための１つの圧電トランス（１）が使用され、そして前記オゾンが以下のステップ、
−  前記圧電トランス（１）の入力領域（２）に入力電圧を印加するステップであって、これより前記圧電トランス（１）の出力領域（３）に高電圧が生成されるステップと、
−  前記圧電トランス（１）を、酸素を含むプロセスガスで包囲するステップであって、この際前記出力領域（３）に生成された高電圧によって当該プロセスガスからオゾンが形成されるステップと、
−  生成されたオゾンの量を１つのセンサ（１８）で測定するステップと、
−  測定された前記生成されたオゾンの量に依存して、所望のオゾン発生レートに調整するために、前記圧電トランス（１）に印加された入力電力を合わせ込むステップと、
によって発生されることを特徴とする方法。
【請求項２】
前記圧電トランス（１）は、パルス駆動されることを特徴とする、請求項１に記載の方法。
【請求項３】
前記生成されたオゾンは、環境空気における匂いを除去するために用いられることを特徴とする、請求項１または２に記載の方法。
【請求項４】
オゾンを生成するための方法であって、
前記オゾンを発生するための１つの圧電トランス（１）が使用され、そして前記オゾンが以下のステップ、
−  前記圧電トランス（１）の入力領域（２）に入力電圧を印加するステップであって、これより前記圧電トランス（１）の出力領域（３）に高電圧が生成され、この際前記圧電トランス（１）がパルス駆動されるステップと、
−  前記圧電トランス（１）を、酸素を含むプロセスガスで包囲するステップであって、この際前記出力領域（３）に生成された高電圧によって当該プロセスガスからオゾンが形成されるステップと、
によって発生されることを特徴とする方法。
【請求項５】
オゾン発生のための装置（１１）であって、
前記装置は１つの圧電トランス（１）を備え、当該圧電トランスは１つの入力領域（２）および１つの出力領域（３）を備え、当該入力領域（２）は、印加された交流電圧を機械的な振動に変換し、当該出力領域（３）は機械的振動を電圧に変換するように構成されており、これより当該出力領域（３）で生成された当該電圧によってオゾンが発生可能となることを特徴とする装置。
【請求項６】
請求項５に記載の装置において、
さらに前記装置は、１つのハウジング（１２）を備え、当該ハウジングは少なくとも１つのオゾン流出開口部を備え、前記圧電トランス（１）は当該ハウジング（１２）内に配設されていることを特徴とする装置。
【請求項７】
前記ハウジング内には、１つのセンサ（１８）および１つの制御回路が配設されていることを特徴とする、請求項６に記載の装置。
【請求項８】
前記センサ（１８）は、前記発生されたオゾンの量を測定するように構成されていることを特徴とする、請求項７に記載の装置。
【請求項９】
請求項７または８に記載の装置において、
前記制御回路は、前記圧電トランス（１）に入力電圧を印加するように構成されており、
前記装置（１１）は、１つのスイッチ（１６）を備え、前記制御回路および当該スイッチ（１６）は、当該スイッチ（１６）が押圧された位置に維持される間のみ、前記入力電圧が印加されるように接続されている、
ことを特徴とする装置。
【請求項１０】
請求項７または８に記載の装置において、
前記制御回路は、前記圧電トランス（１）に入力電圧を印加するように構成されており、
前記装置（１１）は１つのスイッチ（１６）を備え、
前記制御回路および前記スイッチ（１６）は、前記スイッチ（１６）の１回の押圧によって前記入力電圧の印加が開始され、そして前記スイッチ（１６）のもう１回の押圧が前記圧電トランス（１）への入力電圧の供給を遮断するように接続されている、
ことを特徴とする装置。
【請求項１１】
前記装置（１１）は前記ハウジングの中に組み込まれた電圧源（１７）を備えることを特徴とする、請求項７乃至１０のいずれか１項に記載の装置。
【請求項１２】
前記装置（１１）は、前記組み込まれた電圧源（１７）が１つの誘導型の充電方式を用いて充電可能であるように構成されていることを特徴とする、請求項１１に記載の装置。
【発明の詳細な説明】
【技術分野】
【０００１】
本発明は、オゾンを製造するための方法ならびにオゾン発生のための装置に関する。
【背景技術】
【０００２】
オゾンは、３つの酸素原子から成る分子Ｏ３である。オゾンは標準状態ではガス状である。オゾンは強力な酸化剤である。
【０００３】
公知のオゾン発生器は、高電圧によるオゾン発生の原理に基づいており、ここでこの高電圧は、たとえば電磁的な高電圧トランス（複数）を用いて生成することができ、そして１つの電極に伝送され、ここでコロナ放電によってオゾンが生成される。
【０００４】
小さな寸法のオゾン発生器でのフラッシュオーバーを防ぐためには、これらの高電圧トランスを絶縁層の中に埋め込む必要があり、これによってオゾン発生器を備える装置の小型化の限界が設定される。さらにこのオゾン発生器の効率は、この電磁的な高電圧トランスの効率によって制限される。
【発明の概要】
【発明が解決しようとする課題】
【０００５】
そこで本発明の課題は、オゾンを製造するための改善された方法ならびにオゾン発生のための改善された装置を提示することである。
【課題を解決するための手段】
【０００６】
これらの課題は、本願請求項１に記載の方法ならびに第２の独立請求項に記載のオゾン発生のための装置によって解決される。
【０００７】
オゾンを発生するための方法が提示され、ここでオゾンの発生のために１つの圧電トランスが使用される。ここでこのオゾンは以下のステップで発生される。
−この圧電トランスの入力領域に入力電圧を印加するステップであって、これよりこの圧電トランスの出力領域に高電圧が生成されるステップと、
−この圧電トランスの周囲を、酸素を含むプロセスガスで包囲するステップであって、ここで上記の出力領域に生成される高電圧によってこのプロセスガスからオゾンが形成されるステップ。
【０００８】
オゾン発生のために圧電トランスを使用することは多くの利点を提供する。この圧電トランスは、特に高い効率を有し得、これよりオゾンを高い効率で発生することができる。ここでこの効率は、この圧電トランスに印加される入力電力のワット時当たりに生成されるオゾンの量で規定される。こうして圧電トランスを使用することで、比較的小さな入力電力で所望のオゾン発生レートを達成することができる。
【０００９】
さらにこの圧電トランスは、オゾン発生のための装置を好適に小型化することを可能とする。圧電トランスは、非常に小さな寸法を可能とし、たとえば数ミリメートルの辺長で製造することができる。たとえばこの圧電トランスは、１００ｍｍより小さな長さを有し得、たとえば７０ｍｍまたは４５ｍｍの長さを有し得る。
【００１０】
上記の方法ステップ、「この圧電トランスの周囲を、酸素を含むプロセスガスで包囲するステップ」では、このプロセスガスを１つの通風機あるいは他の装置を用いて供給することができ、こうして上記の出力領域の回りをこのプロセスガスが流れるようなる。代替として、この圧電トランスは、その雰囲気がこのプロセスガスを含む環境に配設されていてよい。上記の酸素を含むプロセスガスは、たとえば空気または純粋な酸素であってよい。
【００１１】
さらに本方法は以下のステップを含む。
−生成されたオゾンの量を１つのセンサで測定するステップ、ならびに
−生成されたオゾンの測定された量に依存して、所望のオゾン発生レートに調整するために、この圧電トランスに印加された入力電力を合わせ込むステップ。このようにして、この圧電トランスによって生成されるオゾンの量を所望のオゾン発生レートに対応するように、この圧電トランスに印加される入力電圧を常に合わせ込むことができる。以上により、生成されるオゾンの自動的発生量調整が可能となる。
【００１２】
上記の圧電トランスは、パルス駆動することができる。この圧電トランスのパルス駆動では、この圧電トランスに入力電圧が印加される相と、この圧電トランスに入力電圧が全く印加されない相とが、規則的な間隔で交代する。これに対応してこの圧電トランスは、交互に、所定の時間の間はオンとなり、そして所定の時間の間はオフとなる。このトランスがオンとなる相の持続時間を変化することによって、および／またはこのトランスがオフとなる相の持続時間を変化することによって、所望の平均的オゾン発生レートを設定することができる。
【００１３】
上記の生成されたオゾンは、環境空気における匂いを除去するために用いることができる。このオゾンの酸化作用によって、雰囲気中の匂い物質を匂いの無い物質に転換することができる。同様に、病原菌や匂いの元となるバクテリアも、さもなければ立ち入れない場所でも、殺菌することができる。このためオゾンは、たとえば望ましくない匂いの除去に適している。
【００１４】
本発明のもう１つの態様は、オゾンを製造するための方法に関し、この際圧電トランスがオゾンを発生するために使用され、そしてこの際オゾンは以下のステップで発生される。
−圧電トランスの入力領域に入力電圧を印加するステップであって、この圧電トランスの出力領域に高電圧が生成され、ここでこの圧電トランスがパルス駆動されるステップ。
−酸素を含むプロセスガスで上記の圧電トランスを包囲するステップであって、ここで上記の出力領域に生成される高電圧によって、このプロセスガスからオゾンが形成されるステップ。
【００１５】
本発明のもう１つの態様は、オゾン発生のための装置に関し、この装置は１つの圧電トランスを備え、この圧電トランスは１つの入力領域および１つの出力領域を備え、ここでこの入力領域は、印加された交流電圧を機械的な振動に変換し、ここでこの出力領域は機械的振動を電圧に変換するように構成されており、こうしてこの出力領域でこの生成された電圧によってオゾンが発生可能となる。
【００１６】
既に上述したように、オゾン発生のための装置における圧電トランスの使用は、高い効率ならびに非常に好適な小型化という利点を提供する。
【００１７】
このオゾン発生のための装置は、携帯使用に適した手持装置となり得る。これによりこの装置は可搬となり得、そしてユーザーによって常に所望の使用場所で稼働することができる。この圧電トランスの最も長い辺の長さは、１００ｍｍよりも小さくなり得、そしてさらにこの圧電トランスは、必要電力は僅かであり、バッテリー駆動を用いた動作を可能とするので、手持装置での使用に非常に良好に適している。
【００１８】
さらにこの装置は、１つのハウジングを備えてよく、このハウジングは少なくとも１つのオゾン流出開口部を備え、ここで上記の圧電トランスはこのハウジング内に配設されている。
【００１９】
好ましくはこのオゾン流出開口部は、オゾンが発生される上記の圧電トランスの出力側の端面のすぐ近くに配設されている。オゾンは長寿命の分子であり、このオゾンがその発生直後に分解するということを心配することはないので、このオゾン流出開口部が、この圧電トランスの出力側の端面からかなり離れていることも可能である。
【００２０】
上記のオゾン流出開口部の配置および形状により、発生されたオゾンを狙いを定めて適用領域に供給することができる。この際この流出開口部が、オゾンが幅広に拡がった煙霧状にこの装置から流出されることが可能である。代替としてこのオゾン流出開口部は、フォーカスされたオゾンビームがこの装置から流出されるように構成することも可能である。
【００２１】
上記のハウジング内には、１つのセンサおよび１つの制御回路が配設されていてよい。
【００２２】
さらに上記の装置は、発生されたオゾンの量を測定するように構成された１つのセンサを備えてよい。このセンサによって測定されたデータは、圧電トランスの制御回路に伝送されてよい。このセンサは、生成されたオゾンを周期的なレートで検出するように構成されていてよい。
【００２３】
さらに上記の装置は、上記の圧電トランスに入力電圧を印加するように構成されている１つの制御回路および１つのスイッチを備えてよく、ここでこの制御回路およびこのスイッチは、このスイッチが押圧された位置に維持される間のみ、この入力電圧が印加されるように接続されている。
【００２４】
このスイッチは、具体的にはこの装置のユーザーによって押圧することができる１つのキーであってよい。このスイッチは１つの押圧された位置および１つの押圧されていない位置を有する。
【００２５】
上述したようにこのスイッチが押圧された位置に維持される場合にのみ入力電圧が印加されると、こうしてこのオゾン発生のための装置の安全性を高めることができる。オゾンは潜在的に健康に害のある物質であるから、この装置はオゾンが実際に必要な時にのみ発生されるように構成されていなければならない。オゾン発生を維持するために、このスイッチが持続的に押圧されていなければならないことによって、この装置がオンのままになることを見過ごさないことを確実にすることができる。
【００２６】
１つの代替の構成においては、上記のスイッチの１回の押圧によって上記の入力電圧の印加が開始され、そしてこのスイッチのもう１回の押圧が上記の圧電トランスへの入力電圧の供給を遮断するように、上記の制御回路は上記のスイッチと接続されていてよい。
【００２７】
上記の装置は、１つの組込まれた電圧源を備えてよい。この際この電圧源は１つの充電池または交換可能なバッテリーであってよい。さらにこの装置は、外部の電圧源用の１つの接続端子を備えてよい。具体的には手持装置としてこの装置を使用する際には、組込まれた電圧源が有利である。これはこの場合には外部の電圧源の接続用のケーブルを省くことができるからである。
【００２８】
この装置は上記の組み込まれた電圧源が１つの誘導型の充電方式を用いて充電可能であるように構成されていてよい。これにより充電装置が接続されなければならない接続端子を省くことができる。この誘導型の充電方式を使用することにより、極めて気密なハウジングを使用することを可能とし、これは上記の装置を、そしてこれにより上記の圧電トランスを、外部の影響、たとえば汚れまたは湿気による損傷に対して、良好に保護することができる。
【００２９】
以下に有利な態様（複数）の使用について説明する。
これらの態様は、容易に参照できるように続けて番号付されている。
【００３０】
（第１の態様）
オゾンを生成するための方法であって、
このオゾンを発生するための１つの圧電トランスが使用され、そしてこのオゾンが以下のステップ、
−  上記の圧電トランスの入力領域に入力電圧を印加するステップであって、これより当該圧電トランスの出力領域に高電圧が生成されるステップと、
−  上記の圧電トランスを、酸素を含むプロセスガスで包囲するステップであって、この際上記の出力領域に生成された高電圧によって当該プロセスガスからオゾンが形成されるステップと、
によって発生される。
【００３１】
（第２の態様）
上記の態様に記載の方法であって、
上記方法は以下のステップ、
−  生成されたオゾンの量を１つのセンサで測定するステップと、
−  測定された上記の生成されたオゾンの量に依存して、所望のオゾン発生レートに調整するために、上記の圧電トランスに印加された入力電力を合わせ込むステップと、
を備える。
【００３２】
（第３の態様）
上記第１または第２の態様に記載の方法において、
上記の圧電トランスは、パルス駆動される。
【００３３】
（第４の態様）
上記第１〜第３の態様に記載の方法において、
上記の生成されたオゾンは、環境空気における匂いを除去するために用いられる。
【００３４】
（第５の態様）
オゾン発生のための装置であって、
上記装置は１つの圧電トランスを備え、当該圧電トランスは１つの入力領域および１つの出力領域を備え、当該入力領域は、印加された交流電圧を機械的な振動に変換し、当該出力領域は機械的振動を電圧に変換するように構成されており、これより当該出力領域で生成された当該電圧によってオゾンが発生可能となる。
【００３５】
（第６の態様）
第５の態様に記載の装置であって、
さらに上記装置は、１つのハウジングを備え、当該ハウジングは少なくとも１つのオゾン流出開口部を備え、上記の圧電トランスは当該ハウジング内に配設されている。
【００３６】
（第７の態様）
上記の第５または第６の態様に記載の装置であって、
さらに上記の装置は、発生されたオゾンの量を測定するように構成された１つのセンサを備える。
【００３７】
（第８の態様）
上記の第５〜第７の態様のいずれか１つに記載の装置であって、
さらに上記の装置は、上記の圧電トランスに入力電圧を印加するように構成されている１つの制御回路および１つのスイッチを備え、当該制御回路および当該スイッチは、当該スイッチが押圧された位置に維持される間のみ、当該入力電圧が印加されるように接続されている。
【００３８】
（第９の態様）
上記の第５〜第７の態様のいずれか１つに記載の装置であって、
さらに上記の装置は、上記の圧電トランスに入力電圧を印加するように構成されている１つの制御回路および１つのスイッチを備え、当該制御回路および当該スイッチは、当該スイッチの１回の押圧によって上記の入力電圧の印加が開始され、そして当該スイッチのもう１回の押圧が上記の圧電トランスへの入力電圧の供給を遮断するように接続されている。
【００３９】
（第１０の態様）
上記の第５〜第９の態様のいずれか１つに記載の装置であって、
上記の装置は、１つの組込まれた電圧源を備える。
【００４０】
（第１１の態様）
第１０の態様に記載の装置であって、
上記の装置は上記の組み込まれた電圧源が１つの誘導型の充電方式を用いて充電可能であるように構成されている。
【図面の簡単な説明】
【００４１】
以下では、図を参照して、本発明を詳細に説明する。
【図１】１つの圧電トランスを斜視図で示す。
【図２】上記の第１の実施形態例によるオゾン発生のための装置を示す。
【図３】上記の第２の実施形態例によるオゾン発生のための装置を示す。
【図４】オゾン発生のための装置の一部を示す。
【００４２】
図１は、１つの圧電トランスを斜視図で示す。この圧電トランス１は、具体的には、オゾン発生のための装置に使用することができる。
【００４３】
圧電トランス１は、共振トランスの１つの構造形態であり、これは圧電現象に基づいたものであり、従来の磁気トランスとは対照的に、１つの電気機械システムとなっているものである。この圧電トランス１は、たとえば１つのローゼン型のトランスである。
【００４４】
この圧電トランス１は、１つの入力領域２および１つの出力領域３を備え、ここでこの出力領域３は、この入力領域２に長手方向ｚで繋がっている。この入力領域２において、この圧電トランス１は、電極（複数）４を備える。これらの電極には１つの交流電圧が印加されてよい。これらの電極４は、この圧電トランス１の長手方向ｚに延在している。これらの電極４は、上記の長手方向ｚに対して垂直な積層方向ｘにおいて、圧電材料５と交互に積層されている。ここでこの圧電材料５は、積層方向ｘに分極されている。
【００４５】
これらの電極４は、この圧電トランス１の内部に配設されており、そして内部電極とも呼ばれている。この圧電トランス１は、１つの第１の側面６、およびこの第１の側面６の反対側にある１つの第２の側面７を備える。第１の側面６上には、１つの第１の外部電極８が配設されている。第２の側面７上には、１つの第２の外部電極（不図示）が配設されている。内部にある電極（複数）４は、積層方向ｘで、交互にこの第１の外部電極８かまたはこの第２の外部電極と電気的に接続されている。
【００４６】
さらにこの圧電トランス１は、１つの第３の側面２０および１つの第４の側面２１を備え、これらは互いに反対側にあり、そして上記の第１の側面６および上記の第２の側面７に対して垂直に配設されている。この第３および第４の側面の面法線（複数）は、それぞれ積層方向ｘとなっている。
【００４７】
入力領域２は、上記の電極（複数）４の間に印加される１つの小さな交流電圧で制御することができる。圧電効果のために、この入力側に印加された交流電圧は、まず１つの機械的な振動に変換される。ここでこの機械的な振動の周波数は、実質的にこの圧電トランス１の幾何形状および機械的構造に依存している。
【００４８】
出力領域３は、圧電材料９を備え、そして内部電極が存在していない。この出力領域における圧電材料９は、長手方向ｚにおいて分極されている。この出力領域３の圧電材料９は、上記の入力領域２の圧電材料５と同じ材料であってよく、ここでこれらの圧電材料５および９は、その分極方向が異なっていてよい。この出力領域３においては、上記の圧電材料９は１つの単一のモノリシックな層となるように形成されており、この層は完全に上記の長手方向ｚに分極されている。ここでこの出力領域３における圧電材料９は、ただ１つの単一の分極方向を備える。
【００４９】
入力領域２における電極（複数）４に１つの交流電圧が印加されると、圧電材料５，９の内部に１つの機械的な波が形成され、この波は出力領域３における圧電効果によって１つの出力電圧を生成する。この出力領域３は、１つの出力側の端面１０を備える。こうしてこの出力領域３には、この端面１０と、入力領域２の電極（複数）４の端部との間に電圧が生成される。ここでこの出力側の端面１０には、１つの高電圧が生成される。ここでこの出力側の端面と、この圧電トランスの周囲との間に、大きな電位差が生じ、この電位差は、酸素を含むプロセスガスをイオン化してオゾンが形成されるのに十分な、強い電界を生成する。この際この酸素を含むプロセスガスの原子または分子がイオン化されて、オゾンを形成する。
【００５０】
上記の酸素を含むプロセスガスは、具体的には空気または純粋な酸素であってよい。
【００５１】
図２は、オゾン発生のための装置１１の１つの第１の実施形態例を示す。この装置１１は、１つの圧電トランス1を備える。さらにこの装置１１は１つのハウジング１２を備え、このハウジング内に上記の圧電トランス１が配設されている。このハウジング１２は、オゾン流出開口部（複数）１３を備え、これらから上記の圧電トランス１によって生成されたオゾンがこの装置１１から流出することができる。これらのオゾン流出開口部１３は、スリット形状となっている。これらのオゾン流出開口部１３は、圧電トランス１の出力領域３の近傍に配設されている。
【００５２】
この圧電トランス１の他に、このハウジング１２内にはさらなる部品が配設されており、具体的には１つの配線基板１５を備え、この配線基板上には、１つの制御回路を実現することができ、そして外部の電圧源用の１つの接続端子１４が設けることができる。さらに１つの電圧源１７がこのハウジングの中に組み込まれていてもよい。これらのさらなる部品は、専用の別々のハウジングによって包囲されていない。
【００５３】
さらにこのオゾン発生のための装置は、外部の電圧源用の１つの接続端子１４を備えてよい。この接続端子１４には、たとえば１つの電源装置を接続することができる。
【００５４】
さらにオゾン発生のための装置１１は、１つの配線基板１５を備え、この配線基板上には１つの制御回路を実現することができる。この制御回路は、圧電トランス１の入力領域２に入力電圧を印加するように構成されている。この入力電圧は、１つの交流電圧である。ここでこの圧電トランス１は、パルス駆動することができる。パルス駆動ではこの入力電圧は１つの第１の所定の期間に印加され、そして続いて１つの第２の所定の期間には印加されない。これら２つの期間は周期的に交代する。装置１１のオゾン発生レートは、１つの所望の値に調整することができ、この際圧電トランス１に印加される入力電圧が変化され、および／またはこの際パルス駆動でこれら２つの期間が変化される。
【００５５】
さらにこのオゾン発生のための装置１１は、上記の配線基板に接続されている１つのスイッチ１６を備える。１つの第１の実施形態例においては、入力電圧は、このスイッチ１６が押圧された位置にある場合にのみ、圧電トランス１に印加される。このスイッチ１６にユーザーから圧力が全く印加されないと、これによりこのスイッチ１６はその押圧された位置から押圧されていない位置に常に移動する。これに対応して、ユーザーがこのスイッチ１６をこの押圧された位置に保持している間のみ、この装置１１によってオゾンが発生される。
【００５６】
１つの代替の実施形態例においては、スイッチ１６は、このスイッチ１６の１回の押圧によって、圧電トランス１への入力電圧の印加が開始されるように、配線基板１５に回路接続されている。ここで上記の制御回路は、ユーザーがこのスイッチ１６をもう一度押圧し、そこでこの圧電トランス１がオフとされなければならないことを知らせるまでの間のみ、この圧電トランスに入力電圧を印加する。これに対応してこのスイッチ１６の２回目の押圧では、この圧電トランス１の電圧源は入力電圧を遮断する。
【００５７】
図３は、オゾン発生のための装置１１の１つの第２の実施形態例を示す。この第２の実施形態例によれば、このオゾン発生のための装置１１は、さらに１つの組み込まれた電圧源１７を備える。この組込まれた電圧源１７は、たとえば１つの充電池または交換可能なバッテリーであってよい。図３に示す実施形態例によれば、この組み込まれた電圧源１７には外部の電圧源用の接続端子１４がさらに設けられている。代替としてこの組み込まれた電圧源１７は、オゾン発生のための装置１１の唯一の電圧源として設けられていてもよい。この際はこの装置１１は、外部の電圧源用の１つの接続端子を全く備えないであろう。
【００５８】
図４は、もう１つの実施形態例による、オゾン発生のための装置１１の拡大された１つの部分を示す。この装置は図２および図３に示すものに加えて、１つのセンサ１８を備え、このセンサは、圧電トランス１によって発生されるオゾンの量を測定するように構成されている。この発生されたオゾンの量を検知することにより、オゾン発生を所望のオゾン発生レートに調整することが可能となる。この際このセンサ１８は上記の制御回路にフィードバック接続されていてよい。これに対応してこの制御回路は、所望のオゾン発生レートに調整するために、圧電トランス１に印加される入力電圧および／またはパルス駆動の際のパルスの持続時間を所望のように合わせ込むことができる。
【符号の説明】
【００５９】
１  ：  圧電トランス
２  ：  入力領域
３  ：  出力領域
４  ：  電極
５  ：  圧電材料
６  ：  第１の側面
７  ：  第２の側面
８  ：  第１の外部電極
９  ：  圧電材料
１０  ：  出力側の端面
１１  ：  オゾン発生のための装置
１２  ：  ハウジング
１３  ：  オゾン流出開口部
１４  ：  外部の電圧源用の接続端子
１５  ：  配線基板
１６  ：  スイッチ
１７  ：  組み込まれた電圧源
１８  ：  センサ
２０  ：  第３の側面
２１  ：  第４の側面
ｘ    ：  積層方向
Ｚ    ：  長手方向
【図１】
2019510722.tif 000003
【図２】
2019510722.tif 000004
【図３】
2019510722.tif 000005
【図４】
2019510722.tif 000006
【国際調査報告】
2019510722.tif 000007
2019510722.tif 000008
2019510722.tif 000009
2019510722.tif 000010
2019510722.tif 000011
2019510722.tif 000012